(57)【要約】【課題】制御装置、通信システム及びＳ１接続制御方法に関し、複数の基地局がＳ１接続を切断してもＳ１再接続に要する時間を短縮させることができる。【解決手段】複数の基地局２と制御装置３の間の基地局ラウンドトリップタイム及び管理装置４と制御装置の間の管理装置ラウンドトリップタイムをＳＣＴＰ(Stream Control Transmission Protocol)でそれぞれ計測する計測部３２と、計測された各ラウンドトリップタイムを用いて前記基地局と前記制御装置との間のＳ１接続失敗時のリトライ待ちタイマ値を基地局ごとに算出する算出部３２と、算出されたリトライ待ちタイマ値を基地局ごとに送信する送信部３１とを有する。【選択図】図３
2018186431.tif 000002
【特許請求の範囲】
【請求項１】
複数の基地局と管理装置の間を中継する制御装置であって、
前記複数の基地局と前記制御装置の間の基地局ラウンドトリップタイム及び前記管理装置と前記制御装置の間の管理装置ラウンドトリップタイムをＳＣＴＰ(Stream Control Transmission Protocol)でそれぞれ計測する計測部と、
計測された前記各ラウンドトリップタイムを用いて前記基地局と前記制御装置との間のＳ１接続失敗時のリトライ待ちタイマ値を前記基地局ごとに算出する算出部と、
算出された前記リトライ待ちタイマ値を前記基地局ごとに送信する送信部と、
を有することを特徴とする制御装置。
【請求項２】
前記算出部は、所定の時間単位のスロットを複数並べて構成したスロット領域に、前記複数の基地局からのＳ１接続要求の処理に必要な時間を前記スロット単位で設定し、設定された前記スロット領域に基づいて前記リトライ待ちタイマ値を算出することを特徴とする請求項１に記載の制御装置。
【請求項３】
前記算出部は、前記複数の基地局からのＳ１接続要求の処理に必要な時間を前記スロット単位で設定する際、設定済みのスロットと重ならないように設定することを特徴とする請求項２に記載の制御装置。
【請求項４】
前記計測部は、前記複数の基地局及び前記管理装置のそれぞれへ所定のメッセージが前記送信部によって送信されてから応答が受信されるまでの応答時間をそれぞれ計測し、計測された前記基地局側からの応答時間を前記基地局ラウンドトリップタイムとし、計測された前記管理装置側からの応答時間を前記管理装置ラウンドトリップタイムとする請求項１から３のいずれか１つに記載の制御装置。
【請求項５】
前記管理装置が複数存在する場合、
前記計測部は、それぞれの前記管理装置へ前記所定のメッセージが前記送信部によって送信されてから応答を受信するまでの応答時間をそれぞれ計測し、計測された応答時間のうち最も長い応答時間を前記管理装置ラウンドトリップタイムとする請求項４に記載の制御装置。
【請求項６】
複数の基地局と、管理装置と、前記複数の基地局と前記管理装置との間を中継する制御装置とから構成される通信システムであって、
前記制御装置は、
前記複数の基地局と前記制御装置の間の基地局ラウンドトリップタイム及び前記管理装置と前記制御装置の間の管理装置ラウンドトリップタイムをＳＣＴＰ(Stream Control Transmission Protocol)でそれぞれ計測する計測部と、
計測された前記各ラウンドトリップタイムを用いて前記基地局と前記制御装置との間のＳ１接続失敗時のリトライ待ちタイマ値を前記基地局ごとに算出する算出部と、
算出された前記リトライ待ちタイマ値を前記基地局ごとに送信する送信部と、
を有することを特徴とする通信システム。
【請求項７】
複数の基地局と管理装置の間を中継する制御装置におけるＳ１接続制御方法であって、
前記複数の基地局と前記制御装置の間の基地局ラウンドトリップタイム及び前記管理装置と前記制御装置の間の管理装置ラウンドトリップタイムをＳＣＴＰ(Stream Control Transmission Protocol)でそれぞれ計測し、
計測された前記各ラウンドトリップタイムを用いて前記基地局と前記制御装置との間のＳ１接続失敗時のリトライ待ちタイマ値を前記基地局ごとに算出し、
算出された前記リトライ待ちタイマ値を前記基地局ごとに送信する、
ことを特徴とするＳ１接続制御方法。
【発明の詳細な説明】
【技術分野】
【０００１】
制御装置、通信システム及びＳ１接続制御方法に関する。
【背景技術】
【０００２】
個宅やオフィスなどに設置される小型基地局のHome eNodeB（ＨｅＮＢ）と、ＨｅＮＢを収容するゲートウェイ装置（ＨｅＮＢ−ＧＷ）と、移動管理を行うMobility Management Entity（ＭＭＥ）とからなる通信システム（例えばFemtoシステム）がある。通信システムにおいて、ＨｅＮＢは電源断、ＬＡＮ（Local Area Network）の不調、ＨｅＮＢ−ＧＷの計画切替や障害切替などによりＨｅＮＢ−ＧＷとの間のＳ１回線（Ｓ１接続）が頻繁に切断され、その都度再接続を行う（非特許文献１を参照）。Ｓ１接続の切断が起こると、ＨｅＮＢはＳ１接続要求をＨｅＮＢ−ＧＷへ送信し、ＨｅＮＢ−ＧＷはＨｅＮＢに関する情報を含むアップデート通知（ＨｅＮＢ情報通知）をＭＭＥへ送信し、Ｓ１接続を確立する。
【先行技術文献】
【特許文献】
【０００３】
【非特許文献１】3GPP TS 36.413 V8.4.0（2008-12）、3rd Generation Partnership Projects; Technical Specification Group Radio Access Network; Evolved Universal Terrestrial Radio Access Network (E-UTRAN); S1 Application Protocol (S1AP) (Release 8)
【発明の概要】
【発明が解決しようとする課題】
【０００４】
しかし、Ｓ１接続要求を複数のＨｅＮＢから受信した場合、ＨｅＮＢ−ＧＷは受信したＳ１接続要求を１つずつ処理するため、ＭＭＥへのＨｅＮＢ情報通知の待ち時間によりタイムアウトしてＳ１接続の失敗が多発する。
【０００５】
そこで、本発明の１つの側面では、複数の基地局がＳ１接続を切断してもＳ１再接続に要する時間を短縮させることを目的とする。
【課題を解決するための手段】
【０００６】
態様の一例では、複数の基地局と管理装置の間を中継する制御装置であって、前記複数の基地局と前記制御装置の間の基地局ラウンドトリップタイム及び前記管理装置と前記制御装置の間の管理装置ラウンドトリップタイムをＳＣＴＰ(Stream Control Transmission Protocol)でそれぞれ計測する計測部と、計測された前記各ラウンドトリップタイムを用いて前記基地局と前記制御装置との間のＳ１接続失敗時のリトライ待ちタイマ値を前記基地局ごとに算出する算出部と、算出された前記リトライ待ちタイマ値を前記基地局ごとに送信する送信部とを有する。
【発明の効果】
【０００７】
複数の基地局がＳ１接続を切断してもＳ１再接続に要する時間を短縮させることができる。
【図面の簡単な説明】
【０００８】
【図１】実施形態の通信システムの構成を示す図である。
【図２】Ｓ１再接続処理シーケンスを示すシーケンスチャートである。
【図３】実施形態の制御装置の機能構成を示す図である。
【図４】実施形態の制御装置のハードウェア構成を示す図である。
【図５Ａ】実施形態の制御装置を含む通信システムにおけるＳ１再接続処理シーケンスの一部を示すシーケンスチャートである。
【図５Ｂ】実施形態の制御装置を含む通信システムにおけるＳ１再接続処理シーケンスの一部を示すシーケンスチャートである。
【図５Ｃ】実施形態の制御装置を含む通信システムにおけるＳ１再接続処理シーケンスの一部を示すシーケンスチャートである。
【図６】ＭＭＥとの間のＳ１接続の確立からＭＲＴＴ計測までの処理フローを示すフローチャートである。
【図７Ａ】ＨｅＮＢとの間のＳ１接続の確立からＴＴＷの算出、送信までの処理フローの一部を示すフローチャートである。
【図７Ｂ】ＨｅＮＢとの間のＳ１接続の確立からＴＴＷの算出、送信までの処理フローの一部を示すフローチャートである。
【図８】実施形態の制御装置におけるＴＴＷ算出処理の概念フローを示すフローチャートである。
【図９】実施形態の制御装置における内部カウンタ値のカウントのフローを示すフローチャートである。
【図１０】ＨｅＮＢからの同時接続要求が発生するケースを説明するための図である。
【図１１Ａ】実施形態の制御装置におけるＨｅＮＢ２ａのＳ１接続要求メッセージを受け入れた際のＴＴＷ算出処理を説明するための図である。
【図１１Ｂ】実施形態の制御装置におけるＨｅＮＢ２ｂのＳ１接続要求メッセージを受け入れた際のＴＴＷ算出処理を説明するための図である。
【図１１Ｃ】実施形態の制御装置におけるＨｅＮＢ２ｃのＳ１接続要求メッセージを受け入れた際のＴＴＷ算出処理を説明するための図である。
【図１１Ｄ】実施形態の制御装置におけるＨｅＮＢ２ｄのＳ１接続要求メッセージを受け入れた際のＴＴＷ算出処理を説明するための図である。
【図１１Ｅ】実施形態の制御装置におけるＨｅＮＢ２ｅのＳ１接続要求メッセージを受け入れた際のＴＴＷ算出処理を説明するための図である。
【発明を実施するための形態】
【０００９】
以下、本発明を実施するための形態について図面を参照しながら説明する。
図１は実施形態の通信システムの構成の一例を示す。通信システム１は、複数のＨｅＮＢ２（２ａ、２ｂ、・・・）と、ＨｅＮＢ−ＧＷ３と、複数のＭＭＥ４（４ａ、４ｂ、・・・）とから構成されている。この通信システム１では、ＨｅＮＢ２が最大２５６台、ＭＭＥ４が最大１９２台収容可能となっているが、それぞれの台数はこれに限定されるものではない。
【００１０】
ＨｅＮＢ２は、個宅などに設置される小型の無線基地局（例えば、フェムト基地局）であって、不図示の移動端末によって接続されるものである。ＨｅＮＢ２がカバーする通信エリアは、例えば半径数メートルから数十メートル程度である。ＨｅＮＢ２は、ＨｅＮＢ−ＧＷ３との間にＳ１回線（Ｓ１接続）を確立するためにＳ１接続要求メッセージ（S1 Setup Request）を送信し、Ｓ１接続が確立されることでＨｅＮＢ−ＧＷ３を通じてＭＭＥ４と通信可能となる。
【００１１】
ＭＭＥ４は、不図示のコアネットワークに配置され、ＨｅＮＢ２に接続する移動端末の位置登録や、呼出、無線基地局間のハンドオーバなどを管理するノードである。ＭＭＥ４は、ＨｅＮＢ−ＧＷ３との間に確立されたＳ１回線を通じて、ＨｅＮＢ情報通知（eNB Configuration Update）をＨｅＮＢ−ＧＷ３から受信することによってＨｅＮＢ２の情報の更新を行う。
【００１２】
ＨｅＮＢ−ＧＷ３は、複数のＨｅＮＢ２を収容し、ＨｅＮＢ２とＨｅＮＢ−ＧＷ３との間のＳ１回線及びＨｅＮＢ−ＧＷ３とＭＭＥ４との間のＳ１回線を確立し、ＨｅＮＢ２とＭＭＥ４との間の通信を可能とさせる。Ｓ１回線の確立の方法については後述する。Ｓ１回線はＳ１インタフェースによってつながっている。
【００１３】
ＨｅＮＢ−ＧＷ３は、複数のＨｅＮＢ２（２ａ、２ｂ、・・・）からＳ１接続要求メッセージを受信した場合、例えばＨｅＮＢ２ａからのＳ１接続要求メッセージを処理し、ＨｅＮＢ２ａに関するＨｅＮＢ情報通知をＭＭＥ４へ送信する。ＨｅＮＢ−ＧＷ３はＨｅＮＢ２ａのＨｅＮＢ情報通知に対するＭＭＥ４からの応答を待っているため、Ｓ１接続要求リトライタイマ（Time To Wait：ＴＴＷ）を設定したＳ１接続失敗メッセージ（S1 Setup Failure）をＨｅＮＢ２ａ以外のＨｅＮＢ２へ送信する。ＴＴＷとは、Ｓ１接続要求メッセージの再送信をするまでの待ち時間（リトライ待ちタイマ値）を言う（非特許文献１を参照）。ＴＴＷを受け取ったＨｅＮＢ２はＴＴＷ（例えば１秒など）の経過を待ってＳ１接続要求メッセージを再送信する。
【００１４】
ＴＴＷを固定値で設定することによって、ネットワーク経路の差分により多少のＳ１接続要求メッセージの到着にばらつきが生じる。しかし、多少のばらつきが生じても、１つずつのＳ１接続要求メッセージの処理の受け入れとなるため、受け入れられない多くのＨｅＮＢ２へはＳ１接続失敗メッセージが送信され、再度のＳ１接続要求メッセージのリトライ（再送信）がされることになる。これにより、全てのＨｅＮＢ２が再接続できるまで大幅に時間が掛かってしまう。なお、ＴＴＷを小さくしたとしても、Ｓ１接続要求メッセージのリトライが増加することによりネットワーク回線を圧迫させてしまう可能性がある。上記状況について図２を用いて説明する。
【００１５】
図２では、複数のＨｅＮＢ２（２ａ、２ｂ、２ｃ）と、ＨｅＮＢ−ＧＷ３と、ＭＭＥ４とから通信システムが構成されている。ＨｅＮＢ２はＨｅＮＢ−ＧＷ３を介してＭＭＥ４とＳ１インタフェースを介して接続（Ｓ１接続中）されている。この状況において、ＨｅＮＢ−ＧＷ３が何らかの原因（切替計画など）で切替が発生したことを検知すると、ＨｅＮＢ−ＧＷ３はＳ１接続が切断された旨の切断メッセージ（SCTP Abort）をＨｅＮＢ２へ送信する（Ｓ２０１）。
【００１６】
切断メッセージを受信したＨｅＮＢ２は、Ｓ１接続を確立するためにＳ１接続要求メッセージをＨｅＮＢ−ＧＷ３へ送信する（Ｓ２０２）。Ｓ１接続要求メッセージを受信したＨｅＮＢ−ＧＷ３は、例えば最初に受信したＳ１接続要求メッセージ（ＨｅＮＢ２ｃからのメッセージ）の処理を受け入れてＨｅＮＢ２ｃに関するＨｅＮＢ情報通知をＭＭＥ４へ送信する（Ｓ２０３）。ＨｅＮＢ情報通知にはＨｅＮＢ２ｃに関する情報（識別情報など）が含まれている。
【００１７】
ＨｅＮＢ−ＧＷ３は、メッセージ処理の受け入れができないＨｅＮＢ２（２ａ、２ｂ）に対してＳ１接続失敗メッセージを送信する（Ｓ２０４）。Ｓ１接続失敗メッセージにはＳ１接続要求リトライタイマ（ＴＴＷ）が含まれている。
【００１８】
Ｓ１接続失敗メッセージを受信したＨｅＮＢ２（２ａ、２ｂ）はＴＴＷ経過後に再度、Ｓ１接続要求メッセージをＨｅＮＢ−ＧＷ３へ送信する（Ｓ２０５）。Ｓ１接続要求メッセージを受信したＨｅＮＢ−ＧＷ３は、例えば最初に受信したＳ１接続要求メッセージ（ＨｅＮＢ２ｂからのメッセージ）の処理を受け入れてＨｅＮＢ２ｂに関するＨｅＮＢ情報通知をＭＭＥ４へ送信する（Ｓ２０６）。ＨｅＮＢ情報通知にはＨｅＮＢ２ｂに関する情報（識別情報など）が含まれている。
【００１９】
ＨｅＮＢ−ＧＷ３は、メッセージ処理の受け入れができないＨｅＮＢ２（２ａ）に対してＳ１接続失敗メッセージを送信する（Ｓ２０７）。Ｓ１接続失敗メッセージにはＴＴＷが含まれている。
【００２０】
このように、全てのＨｅＮＢ２が再接続できるまで大幅に時間が掛かってしまう。
この問題を改善するために、ＴＴＷを乱数にすることでＳ１同時接続を回避する方法もあるが、乱数の範囲（発生させる範囲）や粒度（荒さ）を固定で設定する必要がある。ＴＴＷを固定値にする方法よりも改善はするが、ネットワーク構成やトラフィック量によってはＳ１同時接続を回避することができない場合もある。
【００２１】
実施形態の制御装置（ＨｅＮＢ−ＧＷ）は上記問題を解決することを可能とし、以下で説明する。
【００２２】
図３は制御装置の機能構成を示す図である。制御装置３は、受信部３０、送信部３１、ＳＣＴＰ処理部（計測部、ＴＴＷ算出部）３２、Ｓ１ＡＰ処理部３３、ＨｅＮＢ管理部３４、ＭＭＥ管理部３５から構成されている。
【００２３】
受信部３０や送信部３１は、ＨｅＮＢ２やＭＭＥ４からのＳ１メッセージを受信したり、送信したりする。Ｓ１メッセージには、Tracking Area Code（ＴＡＣ）、Public Land Mobile Network（ＰＬＭＮ）、Closed Subscriber Group ID（ＣＳＧＩＤ）などの情報が含まれている。具体的には、受信部３０はＳ１接続要求メッセージをＨｅＮＢ２から受信したり、送信部３１はＳ１接続要求メッセージの応答であるＳ１接続応答メッセージやＴＴＷを含むＳ１接続失敗メッセージをＨｅＮＢ２へ送信したりする。
【００２４】
ＳＣＴＰ処理部３２は、Ｓ１メッセージの下位プロトコルであるStream Control Transmission Protocol（ＳＣＴＰ）処理を実施する。具体的には、ＳＣＴＰ処理部３２は、ＳＣＴＰプロトコルを用いて、ＭＭＥ４におけるRound Trip Time（ＲＴＴ）及びＨｅＮＢ２におけるＲＴＴを計測するとともに、後述するＴＴＷの算出なども行う。
【００２５】
Ｓ１ＡＰ処理部３３は、Ｓ１メッセージの上位プロトコルであるS1 Application Protocol（Ｓ１ＡＰ）処理を実施する。具体的には、Ｓ１ＡＰ処理部３３はＳ１メッセージのエンコードやデコードを行い、抽出した情報（ＴＡＣ、ＰＬＭＮ、ＣＳＧＩＤなど）をＨｅＮＢ管理部３４やＭＭＥ管理部３５へ渡す。
【００２６】
ＨｅＮＢ管理部３４は、ＨｅＮＢ２とのＳ１セッションを管理するとともに、ＨｅＮＢ関連の情報（ＴＡＣ、ＰＬＭＮ、ＣＳＧＩＤなど）を管理する。また、ＨｅＮＢ管理部３４は対応するＭＭＥ４の情報も管理する。
【００２７】
ＭＭＥ管理部３５は、ＭＭＥ４とのＳ１セッションを管理するとともに、ＭＭＥ関連の情報（ＰＬＭＮなど）を管理する。また、ＭＭＥ管理部３５は対応するＨｅＮＢ２の情報も管理する。
【００２８】
次に、制御装置３のハードウェア構成について図４を用いて説明する。制御装置３のハードウェアは、ＣＰＵ４０、メモリ４１、ネットワークインタフェースカード（Network Interface Card：NIC）４２、バス４３から構成されている。
【００２９】
ＣＰＵ４０は、各種処理（例えば、後述する処理空きスロット領域の選択、ＴＴＷの設定など）を行うためのプログラムをメモリ４１から読み込み、読み込んだプログラムを不図示のＲＡＭに一時的に格納し、プログラムにしたがって各種処理を行う。スロット領域とは制御装置３上で管理されるタイムテーブルを言い、例えばＳ１接続要求メッセージの処理が実施可能なＲＴＴ最小単位（例えば、１秒）と同一時間の単位（スロット）を複数並べて構成した時間領域である。ＣＰＵ４０は、主としてＳＣＴＰ処理部３２、Ｓ１ＡＰ処理部３３、ＨｅＮＢ管理部３４、ＭＭＥ管理部３５として機能する。
【００３０】
メモリ４１は、ＣＰＵ４０に実行させるためのＯＳ（Ｏｐｅｒａｔｉｎｇ Ｓｙｓｔｅｍ）プログラムやアプリケーションプログラムなどの各種プログラムを記憶するとともに、ＣＰＵ４０による処理で格納が必要となった情報を格納する。
【００３１】
ネットワークインタフェースカード４２は、ネットワークに接続するための通信機能を追加する拡張ボードである。ネットワークインタフェースカード４２は、主として受信部３０及び送信部３１として機能する。
【００３２】
バス４３は、ＣＰＵ４０、メモリ４１、ネットワークインタフェースカード４２間をつなぎ、それらの間の制御信号、データ信号などの授受を媒介する経路である。
【００３３】
次に、実施形態の制御装置を含む通信システムにおけるＳ１再接続処理のシーケンスについて図５Ａから図５Ｃを用いて説明する。
【００３４】
図５Ａから図５Ｃでは、複数のＨｅＮＢ２（２ａ、２ｂ、２ｃ、２ｄ）と、ＨｅＮＢ−ＧＷ３と、複数のＭＭＥ４とから通信システムが構成されている。ＨｅＮＢ２はＨｅＮＢ−ＧＷ３を介してＭＭＥ４とＳ１インタフェースを介して接続（Ｓ１接続中）されている。この状況において、ＨｅＮＢ−ＧＷ３は何らかの原因（切替計画など）で切替が発生したことを検知すると、ＭＭＥ４とのＳ１接続を確立させるため、ＳＣＴＰ接続処理を行う（Ｓ５０１）。ＭＭＥ４とのＳ１接続を確立させなければＨｅＮＢ２とのＳ１接続を確立することができないためである。
【００３５】
ＳＣＴＰ接続処理では、まずＨｅＮＢ−ＧＷ３がＭＭＥ４とのＳ１接続処理を開始するためのＩＮＩＴメッセージをＭＭＥ４へ送信する。ＩＮＩＴメッセージを送信する対象のＭＭＥ４は、ＨｅＮＢ２（２ａ、２ｂ、２ｃ、２ｄ）の管理に関連するＭＭＥである。ＨｅＮＢ−ＧＷ３はＩＮＩＴメッセージに対する応答であるＩＮＩＴ ＡＣＫメッセージをＭＭＥ４から受信する。
【００３６】
ＩＮＩＴ ＡＣＫメッセージを受信すると、ＨｅＮＢ−ＧＷ３はセキュリティ情報の交換などを行うためのＣＯＯＫＩＥ ＥＣＨＯメッセージをＭＭＥ４へ送信する。ＨｅＮＢ−ＧＷ３がＣＯＯＫＩＥ ＥＣＨＯメッセージの応答であるＣＯＯＫＩＥ ＡＣＫメッセージをＭＭＥ４から受信することでＳＣＴＰ接続処理が完了する。
【００３７】
ＳＣＴＰ接続処理が完了すると、ＨｅＮＢ−ＧＷ３はＭＭＥ４とのＳ１接続を確立するためにＳ１接続要求メッセージ（S1 Setup Request）をＭＭＥ４へ送信する（Ｓ５０２）。ＨｅＮＢ−ＧＷ３がＳ１接続要求メッセージに対する応答であるＳ１接続応答メッセージ（S1 Setup Response）を受信することによってＭＭＥ４との間にＳ１接続が確立される（Ｓ５０３）。
【００３８】
ＨｅＮＢ−ＧＷ３とＭＭＥ４との間にＳ１接続が確立されると、ＨｅＮＢ−ＧＷ３は死活監視、すなわちＭＭＥ４が動作しているかどうかの調査を行う（Ｓ５０４）。具体的には、ＨｅＮＢ−ＧＷ３は互いの状態を確認し合うためのＨＥＡＲＴＢＥＡＴメッセージをＭＭＥ４へ送信し、ＨＥＡＲＴＢＥＡＴメッセージに対する応答であるＨＥＡＲＴＢＥＡＴ ＡＣＫメッセージをＭＭＥ４から受信することでＭＭＥ４の状態を把握する。ＨＥＡＲＴＢＥＡＴメッセージとＨＥＡＲＴＢＥＡＴ ＡＣＫメッセージのやりとりは継続的に行われる。
【００３９】
上記ＳＣＴＰ接続処理及び死活監視が行われている間、ＨｅＮＢ２はＨｅＮＢ−ＧＷ３に対してＨＥＡＲＴＢＥＡＴメッセージを送信し、ＨｅＮＢ−ＧＷ３は応答としてＡＢＯＲＴメッセージをＨｅＮＢ２へ送信する（Ｓ５０５）。ＡＢＯＲＴメッセージは、例えば現在、Ｓ１接続の確立はできない、Ｓ１接続要求をしても失敗する旨が示されたメッセージである。
【００４０】
ＨｅＮＢ−ＧＷ３は、死活監視によってＭＭＥ側のＲＴＴ（ＭＲＴＴとも言う）を計測する（Ｓ５０６）。具体的には、ＨｅＮＢ−ＧＷ３はＨＥＡＲＴＢＥＡＴメッセージをそれぞれのＭＭＥ４へ送信してからＨＥＡＲＴＢＥＡＴ ＡＣＫメッセージを受信するまでの時間（応答時間）をそれぞれ計測し、計測された時間をそれぞれのＭＭＥ４のＭＲＴＴとする。
【００４１】
ＨｅＮＢ−ＧＷ３とＨｅＮＢ２との間のＳ１接続を確立するため、ＭＭＥ４に対して行われたＳＣＴＰ接続処理と同様のＳＣＴＰ接続処理が行われ（Ｓ５０７）、ＨｅＮＢ−ＧＷ３はＨｅＮＢ２の死活監視を行う（Ｓ５０８）。具体的な内容についてはＭＭＥ４に対して行ったＳＣＴＰ接続処理及び死活監視と同様であるため説明を省略する。
【００４２】
ＨｅＮＢ−ＧＷ３は、死活監視によってＨｅＮＢ２側のＲＴＴ（ＨＲＴＴとも言う）を計測する（Ｓ５０９）。具体的には、ＨｅＮＢ−ＧＷ３はＨＥＡＲＴＢＥＡＴメッセージをそれぞれのＨｅＮＢ２へ送信してからＨＥＡＲＴＢＥＡＴ ＡＣＫメッセージを受信するまでの時間（応答時間）をそれぞれ計測し、計測された時間をそれぞれのＨｅＮＢ２のＨＲＴＴとする。
【００４３】
その後、ＨｅＮＢ−ＧＷ３はＳ１接続要求メッセージ（S1 Setup Request）をＨｅＮＢ２から受信する（Ｓ５１０）。Ｓ１接続要求メッセージを受信すると、ＨｅＮＢ−ＧＷ３はＨｅＮＢ情報更新処理を行う（Ｓ５１１）。
【００４４】
具体的には、ＨｅＮＢ−ＧＷ３は、受信したＳ１接続要求メッセージごとにeNB Configuration Updateメッセージの送信対象であるか否かを判断し、送信対象である場合、eNB Configuration UpdateメッセージをＭＭＥ４へ送信する。eNB Configuration Updateメッセージの送信対象であるか否かの判断は、ＭＭＥ４に登録されているＨｅＮＢ２の情報を更新する必要があるか否かによるものであり、更新する必要がある場合にeNB Configuration UpdateメッセージがＭＭＥ４へ送信される。更新が完了すると、eNB Configuration AckメッセージがＭＭＥ４から送信される。
【００４５】
より具体的には、Ｓ１接続要求メッセージにはＴＡＣ、ＰＬＭＮ、ＣＳＧＩＤなどの情報が含まれており、ＨｅＮＢ−ＧＷ３はこれらの情報が既にＭＭＥ４へ登録されているか否かを判断する。登録されていない（重複するものがない）場合には、ＨｅＮＢ−ＧＷ３はeNB Configuration Updateメッセージを送信する。
【００４６】
ＨｅＮＢ−ＧＷ３は、ＨｅＮＢ情報更新処理においてeNB Configuration Updateメッセージの送信対象でないＨｅＮＢ２がある場合、ＨｅＮＢ２（この例では、ＨｅＮＢ２ａ）へＳ１接続応答メッセージ（S1 Setup Response）を送信する（Ｓ５１２）。すなわち、Ｓ１接続要求メッセージに含まれる情報（ＴＡＣなど）が既にＭＭＥ４に登録されている場合、ＨｅＮＢ−ＧＷ３はＳ１接続応答メッセージをＨｅＮＢ２へ送信する。
【００４７】
ＨｅＮＢ−ＧＷ３は、eNB Configuration Updateメッセージの送信対象であったＨｅＮＢ２に対してはそれぞれのＴＴＷを算出する（Ｓ５１３）。ＴＴＷの算出処理の詳細については後述する。
【００４８】
ＨｅＮＢ−ＧＷ３は、ＨｅＮＢ２ごとのＴＴＷを算出すると、算出されたＴＴＷを含むＳ１接続失敗メッセージ（S1 Setup Failure）をＨｅＮＢ２（この例ではＨｅＮＢ２ｂ、ＨｅＮＢ２ｃ、ＨｅＮＢ２ｄ）へ送信する（Ｓ５１４）。Ｓ１接続失敗メッセージを受信したＨｅＮＢ２（ＨｅＮＢ２ｂ、ＨｅＮＢ２ｃ、ＨｅＮＢ２ｄ）は、ＴＴＷ分の時間の経過を待ってＳ１接続要求メッセージを再送信する（Ｓ５１５）。
【００４９】
ＨｅＮＢ−ＧＷ３は、再送信されたＳ１接続要求メッセージを受信すると、それぞれのＨｅＮＢ２におけるＨｅＮＢ情報更新処理を行う（Ｓ５１６）。ここでのＨｅＮＢ情報更新処理はＳ５１１と同様であるため説明を省略する。
【００５０】
ＨｅＮＢ−ＧＷ３は、ＨｅＮＢ２情報更新処理を完了すると、Ｓ１接続応答メッセージをそれぞれのＨｅＮＢ２へ送信する（Ｓ５１７）。これにより、全てのＨｅＮＢ２のＳ１再接続が完了する。
【００５１】
次に、上述したＭＭＥ４との間のＳ１接続の確立からＭＲＴＴ計測までの処理のフローについて図６を用いて説明する。
【００５２】
ＨｅＮＢ−ＧＷ３は、ＨｅＮＢ２に関連する全てのＭＭＥ４とのＳ１接続を確立するためＳＣＴＰ接続処理を行う（ステップＳ６０１）。ＳＣＴＰ接続処理後、ＨｅＮＢ−ＧＷ３は、Ｓ１接続要求メッセージをＭＭＥ４へ送信し（ステップＳ６０２）、Ｓ１接続応答メッセージをＭＭＥ４から受信する（ステップＳ６０３）。
【００５３】
ＭＥＥ４との間のＳ１接続が確立すると、ＨｅＮＢ−ＧＷ３は各ＭＭＥ４の死活監視を行う（ステップＳ６０４）。このとき、ＨｅＮＢ−ＧＷ３は上述したＨＥＡＲＴＢＥＡＴメッセージを各ＭＭＥ４へ送信し、ＨＥＡＲＴＢＥＡＴ ＡＣＫメッセージを各ＭＭＥ４から受信する。ＨｅＮＢ−ＧＷ３は、ＨＥＡＲＴＢＥＡＴメッセージを送信してからＨＥＡＲＴＢＥＡＴ ＡＣＫメッセージを受信するまでの時間（ＲＴＴ）をＭＭＥ４ごとに計測し、計測した時間のうち最も長い時間をＭＲＴＴとして算出する（ステップＳ６０５）。
【００５４】
次に、上述したＨｅＮＢ２との間のＳ１接続の確立からＴＴＷの算出、送信までの処理のフローについて図７Ａ、図７Ｂを用いて説明する。
【００５５】
ＨｅＮＢ−ＧＷ３は、ＨｅＮＢ２とのＳ１接続を確立するためＳＣＴＰ接続処理を行う（ステップＳ７０１）。ＳＣＴＰ接続処理によりＨｅＮＢ２との間のＳ１接続が確立すると、ＨｅＮＢ−ＧＷ３はＨｅＮＢ２の死活監視を行う（ステップＳ７０２）。このとき、ＨｅＮＢ−ＧＷ３は上述したＨＥＡＲＴＢＥＡＴメッセージを各ＨｅＮＢ２へ送信し、ＨＥＡＲＴＢＥＡＴ ＡＣＫメッセージを各ＨｅＮＢ２から受信する。ＨｅＮＢ−ＧＷ３は、ＨＥＡＲＴＢＥＡＴメッセージを送信してからＨＥＡＲＴＢＥＡＴ ＡＣＫメッセージを受信するまでの時間（ＲＴＴ）をＨｅＮＢ２ごとに計測し、計測した時間をＨＲＴＴとする（ステップＳ７０３）。
【００５６】
ＨｅＮＢ−ＧＷ３は、ＨＲＴＴの計測後、Ｓ１接続要求メッセージをＨｅＮＢ２から受信すると（ステップＳ７０４）、Ｓ１接続要求メッセージがeNB Configuration Updateメッセージの送信対象であるか否かを判断する（ステップＳ７０５）。すなわち、ＭＭＥへのＨｅＮＢ情報更新の通知要否チェックを行う（図８のＳ８０１を参照）。図８はＨｅＮＢ−ＧＷ３におけるＴＴＷ算出処理の概念フローを示している。
【００５７】
Ｓ１接続要求メッセージがeNB Configuration Updateメッセージの送信対象でない場合（ステップＳ７０５でＮｏ）、ＨｅＮＢ−ＧＷ３はＳ１接続応答メッセージをＳ１接続要求メッセージの送信元のＨｅＮＢ２へ送信する（ステップＳ７０６）。
【００５８】
一方、Ｓ１接続要求メッセージがeNB Configuration Updateメッセージの送信対象である場合（ステップＳ７０５でＹｅｓ）、ＨｅＮＢ−ＧＷ３は処理空きスロット先頭位置が内部カウンタ値より大きいか否かを判断する（ステップＳ７０７）。すなわち、処理空きスロット領域の選択を行う（図８のＳ８０２を参照）。
【００５９】
処理空きスロット先頭位置とはスロット領域のうち空いている領域（空きスロット領域）の先頭位置を言う。例えば、スロット領域が２５のスロットから構成されている場合の初期状態における処理空きスロット先頭位置は１（最初のスロット位置）となる。内部カウンタ値とは、ＲＴＴ最小単位（例えば、１秒）と同一時間経過ごとにＨｅＮＢ−ＧＷ３内部でカウントされる値を言う。
【００６０】
処理空きスロット先頭位置が内部カウンタ値より大きくない場合（ステップＳ７０７でＮｏ）、すなわち、Ｓ１接続要求メッセージの処理に必要なスロットの予約がスロット領域に全く設定（確定）されていない場合、ＨｅＮＢ−ＧＷ３はeNB Configuration UpdateメッセージをＨｅＮＢ２へ送信する（ステップＳ７０８）。ＨｅＮＢ−ＧＷ３は計測されたＭＲＴＴ分をスロット領域に設定するとともに、処理空きスロット数から設定したＭＲＴＴ分を減算し（ステップＳ７０９）、減算後の処理空きスロット数を算出する。処理空きスロット数とはスロット領域のうちＳ１接続要求メッセージの処理に必要なスロット（ＭＲＴＴ分）の予約が設定されていないスロットの数を言う。ＨｅＮＢ−ＧＷ３は、処理空きスロット先頭位置に設定したＭＲＴＴ分を加算し（ステップＳ７１０）、ＭＲＴＴの設定後の処理空きスロット先頭位置を算出する。
【００６１】
一方、処理空きスロット先頭位置が内部カウンタ値より大きい場合（ステップＳ７０７でＹｅｓ）、ＨｅＮＢ−ＧＷ３は、現在処理中のＳ１接続要求メッセージを送信したＨｅＮＢ２のＨＲＴＴに内部カウンタ値を加算する。ＨｅＮＢ−ＧＷ３は加算した値のスロットの位置からＭＲＴＴ分までのスロット領域に、既にＳ１接続要求メッセージの処理に必要なスロットの予約が設定されているか（設定済みか）否かを判断する（ステップＳ７１１）。既に設定済みのスロットに重ならないか否かを判断するためである。
【００６２】
既に設定済みの場合（ステップＳ７１１でＹｅｓ）、ＨｅＮＢ−ＧＷ３は、ＨＲＴＴに内部カウンタ値を加算した値よりも大きい処理空きスロット先頭位置を設定する（ステップＳ７１２）。すなわち、複数の基地局からのＳ１接続要求の処理に必要な時間をスロット単位で設定する際、設定済みのスロットと重ならないように設定する。この場合、スロットの重なりがあるため、重なりを回避するようにずらして処理空きスロット先頭位置を設定する。
【００６３】
一方、設定済みでない場合（ステップＳ７１１でＮｏ）、ＨｅＮＢ−ＧＷ３はＨＲＴＴに内部カウンタ値を加算した値よりも小さい処理空きスロット先頭位置を設定する（ステップＳ７１３）。この場合、スロットの重なりはないため、スロットの重なりが生じないスロットまでつめてそのスロット位置を処理空きスロットの先頭位置と設定する。
【００６４】
ＨｅＮＢ−ＧＷ３は、処理空きスロット領域内でＭＲＴＴ分が捕捉可能であるか判断するため、まず処理空きスロット数がＭＲＴＴ以上であるか否かを判断する（ステップＳ７１４）。すなわち、処理空きスロットの捕捉（図８のＳ８０３を参照）を行う。
【００６５】
処理空きスロット数がＭＲＴＴ以上でない場合（ステップＳ７１４でＮｏ）、ＭＲＴＴ分をスロット領域に設定することができないため、ＨｅＮＢ−ＧＷ３は次の処理空きスロット数を設定し（ステップＳ７１５）、ステップＳ７１４へ戻る。
【００６６】
一方、処理空きスロット数がＭＲＴＴ以上である場合（ステップＳ７１４でＹｅｓ）、ＨｅＮＢ−ＧＷ３は、ＴＴＷの値を決定するため、設定済みのスロット数にＭＲＴＴを加算した値がＨＲＴＴ以上であるか否かを判断する（ステップＳ７１６）。設定済みのスロット数にＭＲＴＴを加算した値がＨＲＴＴ以上である場合（ステップＳ７１６でＹｅｓ）、ＨｅＮＢ−ＧＷ３は設定済みのスロット数からＨＲＴＴを減算した値をＴＴＷと設定する（ステップＳ７１７）。すなわち、ＴＴＷの設定（図８のＳ８０３を参照）を行う。設定済みのＳ１接続要求メッセージ処理（予約処理とも言う）が終了すると同時に次のメッセージ処理が開始できるようにするためである。
【００６７】
一方、設定済みのスロット数にＭＲＴＴを加算した値がＨＲＴＴ以上でない場合（ステップＳ７１６でＮｏ）、ＨｅＮＢ−ＧＷ３は予約処理が終了した時点においてもまだＨｅＮＢ２からのＳ１接続要求メッセージを受信しないため、ＨｅＮＢ−ＧＷ３はＨＲＴＴをＴＴＷと設定する（ステップＳ７１８）。
【００６８】
ＨｅＮＢ−ＧＷ３は、設定済みのスロット数からＨＲＴＴを減算した値をＴＴＷと設定した場合は、計測されたＭＲＴＴ分をスロット領域に設定するとともに、処理空きスロット数からＭＲＴＴを減算し（ステップＳ７１９）、減算後の処理空きスロット数を算出する。ＨｅＮＢ−ＧＷ３は、処理空きスロット先頭位置にＭＲＴＴを加算して（ステップＳ７２０）、予約（ＭＲＴＴ）の設定後の処理空きスロット先頭位置を算出する。すなわち、処理空きスロット領域数の更新（スロット領域における処理空きスロット数の更新）及びスロット領域のサイズの更新を行う（図８のＳ８０４を参照）。
【００６９】
一方、ＨＲＴＴをＴＴＷと設定した場合は、ＨｅＮＢ−ＧＷ３はスロット数ｘを現在の処理空きスロット数とする（ステップＳ７２１）。ＨｅＮＢ−ＧＷ３は、ＭＲＴＴ分を設定したスロットより前にある処理空きスロット数を算出するため、ＨＲＴＴから設定済みのスロット数を減算して処理空きスロット数を算出する（ステップＳ７２２）。
【００７０】
ＨｅＮＢ−ＧＷ３は、新たな処理空きスロット先頭位置を算出するため、ＨＲＴＴと内部カウンタ値とＭＲＴＴを加算する（ステップＳ７２３）。また、ＨｅＮＢ−ＧＷ３は新たな処理空きスロット数を算出するため、現在の処理空きスロット数ｘから処理空きスロット数とＭＲＴＴを減算する（ステップＳ７２４）。すなわち、処理空きスロット領域数の更新（スロット領域における処理空きスロット数の更新）及びスロット領域のサイズの更新を行う（図８のＳ８０４を参照）。
【００７１】
上述した処理空きスロット領域数の更新及びスロット領域のサイズの更新が終了すると、ＨｅＮＢ−ＧＷ３はＳ１接続要求メッセージごとに算出されたＴＴＷをＳ１接続失敗メッセージに設定し（ステップＳ７２５）、Ｓ１接続失敗メッセージを各ＨｅＮＢ２へ送信する（ステップＳ７２６）。
【００７２】
上述した内部カウンタ値のカウントのフローについて図９を用いて説明する。このフローはループ処理となっており、例えば全てのＨｅＮＢ２のＳ１再接続が完了するまで続く。ＨｅＮＢ−ＧＷ３は一定時間（ＲＴＴ単位の時間）経過ごとに内部カウンタ値をインクリメントする（ステップＳ９０１）。インクリメントすると、ＨｅＮＢ−ＧＷ３は一定時間（ＲＴＴ単位の時間）待つ、すなわちスリープする（ステップＳ９０２）。
【００７３】
上述したようなＨｅＮＢ２からの同時接続要求が発生するケースとしては、例えば２つのケースがある。図１０に示すように、１つのケースはＨｅＮＢ−ＧＷ３に障害が発生し、その後、ＨｅＮＢ−ＧＷ３が復旧するケースである。もう１つのケースはルータに障害が発生し、その後、ルータが復旧するケースである。
【００７４】
上述した例は、ＨｅＮＢ−ＧＷ３に障害が発生した場合についてのものであるが、ルータに障害が発生した場合についてもＨｅＮＢ−ＧＷ３に障害が発生した場合と処理フローは同様であるため、説明を省略する。なお、図１０に示す例ではＨｅＮＢ２ａ及びＨｅＮＢ２ｂのＲＴＴは１、ＨｅＮＢ２ｃのＲＴＴは２０、ＨｅＮＢ２ｄ及びＨｅＮＢ２ｅのＲＴＴは１０である。また、ＭＭＥ４ａのＲＴＴは２、ＭＭＥ４ｂのＲＴＴは２である。
【００７５】
次に、実施形態のＨｅＮＢ−ＧＷにおけるＴＴＷ算出処理の詳細について図１１Ａから図１１Ｅを用いて説明する。
【００７６】
まず、ＨｅＮＢ２ａのＳ１接続要求メッセージを受け入れた際の処理について図１１Ａを用いて説明する。前提条件として、上述したステップＳ７０１からＳ７０４までの処理は実施済みであり、内部カウンタ値を１とする。また、スロット領域は２５のスロットから構成され、このときの処理空きスロット先頭位置の数は１個、処理空きスロット先頭位置（ｎ１）が１とする。
【００７７】
ＨｅＮＢ−ＧＷ３は、まず受信したＳ１接続要求メッセージがeNB Configuration Updateメッセージの送信対象のメッセージであるか否かを判断する。ここでは送信対象と判断したとして、ＨｅＮＢ−ＧＷ３は処理空きスロット先頭位置が内部カウンタ値より大きいか否かを判断する。この例では処理空きスロット先頭位置（ｎ１）が１であり、内部カウンタ値が１であるため、大きいと判断しない。
【００７８】
この場合、ＴＴＷを設定する必要はなく、ＨｅＮＢ−ＧＷ３は処理空きスロット数（ここでは２５）からＭＲＴＴ分（ここでは２とする）を減算し、減算後の処理空きスロット数を２５−２＝２３（スロット３から２５）とする。このとき、ＨｅＮＢ−ＧＷ３は、図１１Ａに示すように、ＨｅＮＢ２ａのＳ１接続要求メッセージの処理に必要なスロットとしてＭＲＴＴ分をスロット１及びスロット２に予約設定する。ＨｅＮＢ−ＧＷ３は、処理空きスロット先頭位置（ｎ１）＝１にＭＲＴＴ分の２を加算し、予約設定後の処理空きスロット先頭位置（ｎ１）を３とする。すなわち、スロット３が予約設定後の処理空きスロット先頭位置（ｎ１）となる。
【００７９】
以上のＨｅＮＢ２ａのＳ１接続要求メッセージを受け入れた際の処理のまとめは以下である。
【００８０】
（前提条件）
図７ＡのステップＳ７０１からＳ７０４は実施済み。
【００８１】
内部カウンタ値＝１。
処理空きスロット先頭位置の数＝１。
処理空きスロット先頭位置（ｎ１）＝１、処理空きスロット数＝２５。
（処理フロー）
・eNB Configuration Updateメッセージ送信対象？→Ｙｅｓ。
・処理空きスロット先頭位置（１）＞内部カウンタ値（１）か？→Ｎｏ。
・eNB Configuration Updateメッセージを送信。
・処理空きスロット数（２５）からＭＲＴＴ（２）を減算→処理空きスロット数＝
２５−２＝２３。
・処理空きスロット先頭位置（１）にＭＲＴＴ（２）を加算→処理空きスロット先頭位置＝１＋２＝３。
【００８２】
上記処理後に、ＨｅＮＢ２ｂのＳ１接続要求メッセージを受け入れた際の処理について図１１Ｂを用いて説明する。前提条件として、上述したステップＳ７０１からＳ７０４までの処理は実施済みであり、内部カウンタ値を１とする。また、上記処理により、処理空きスロット先頭位置の数は１個（スロット３の１個）、処理空きスロット先頭位置（ｎ１）が３、処理空きスロット数が２３である。
【００８３】
ＨｅＮＢ−ＧＷ３は、受信したＳ１接続要求メッセージがeNB Configuration Updateメッセージの送信対象のメッセージであるか否かを判断する。ここでは送信対象と判断したとして、ＨｅＮＢ−ＧＷ３は処理空きスロット先頭位置が内部カウンタ値より大きいか否かを判断する。この例では処理空きスロット先頭位置（ｎ１）が３であり、内部カウンタ値が１であるため、大きいと判断する。
【００８４】
この場合、ＴＴＷを設定する必要がある。ＨｅＮＢ−ＧＷ３はＨＲＴＴ（ここでは１とする）と内部カウンタ値１を加算したスロット位置（スロット２の位置）からＭＲＴＴ分（ここでは２とする）までのスロット領域（スロット２から３）について確認する。すなわち、上記スロット領域（スロット２から３）にＨｅＮＢ２ａのＳ１接続要求メッセージの処理のために予約設定されたスロットがあるかを判断する。この例では、スロット２に予約設定があるため、ＨｅＮＢ−ＧＷ３はＨＲＴＴ＝１と内部カウンタ＝１を加算した値２より大きい値のスロット３を処理空きスロット先頭位置のスロットとする。すなわち、処理空きスロット先頭位置（ｎ１）＝３となる。
【００８５】
ＨｅＮＢ−ＧＷ３は、スロット領域のスロットに予約設定を行うため、処理空きスロット数がＭＲＴＴ以上であるか否かを判断する。ＭＲＴＴ以上であれば予約設定を行うことができ、ＨｅＮＢ−ＧＷ３は処理空きスロット先頭位置（ｎ１）＝３からＭＲＴＴ分のスロットに予約設定を行う。図１１Ｂに示すように、ＨｅＮＢ２ｂのＳ１接続要求メッセージの処理に必要なスロットとしてＭＲＴＴ分をスロット３及びスロット４に予約設定する。
【００８６】
ＨｅＮＢ−ＧＷ３は、ＴＴＷを算出するため、予約設定済みスロット数（スロット１及び２）に今回のＭＲＴＴ分を加算した値がＨＲＴＴ以上であるか否かを判断する。この例では、予約設定済みスロット数＝２に今回のＭＲＴＴ＝２を加算した値が４、ＨＲＴＴ＝１であるため、ＨｅＮＢ−ＧＷ３は予約設定済みスロット数に今回のＭＲＴＴ分を加算した値がＨＲＴＴ以上であると判断する。予約設定済みスロット数に今回のＭＲＴＴ分を加算した値がＨＲＴＴ以上であるということは、予約設定済みのスロット数からＨＲＴＴ分を減算した値だけ待ってＳ１接続要求メッセージを再送することを意味する。この場合のＴＴＷは予約設定済みのスロット数が２（スロット１及び２）からＨＲＴＴ＝１を減算した１となる。待たずにＨｅＮＢ２ｂがＳ１接続要求メッセージを送信すると、再度、Ｓ１接続失敗メッセージが送信されることになってしまう。
【００８７】
ＨｅＮＢ−ＧＷ３は、ＴＴＷを算出すると、処理空きスロット数（ここでは２３）からＭＲＴＴ（ここでは２とする）を減算し、減算後の処理空きスロット数を２３−２＝２１（スロット５から２５）とする。このとき、ＨｅＮＢ−ＧＷ３は、図１１Ｂに示すように、ＨｅＮＢ２ｂのＳ１接続要求メッセージの処理に必要なスロットとしてＭＲＴＴ分の２をスロット３及びスロット４に予約設定する。ＨｅＮＢ−ＧＷ３は、処理空きスロット先頭位置（ｎ１）＝３にＭＲＴＴ分の２を加算し、予約設定後の処理空きスロット先頭位置（ｎ１）を５とする。すなわち、スロット５が予約設定後の処理空きスロット先頭位置（ｎ１）となる。
【００８８】
ＨｅＮＢ−ＧＷ３は、算出したＴＴＷ＝１をＳ１接続失敗メッセージに設定し、ＨｅＮＢ２ｂへ送信する。
【００８９】
以上のＨｅＮＢ２ｂのＳ１接続要求メッセージを受け入れた際の処理のまとめは以下である。
【００９０】
（前提条件）
図７ＡのステップＳ７０１からＳ７０４は実施済み。
内部カウンタ値＝１。
処理空きスロット先頭位置の数＝１。
処理空きスロット先頭位置（ｎ１）＝３、処理空きスロット数＝２３。
（処理フロー）
・eNB Configuration Updateメッセージ送信対象？→Ｙｅｓ。
・処理空きスロット先頭位置（３）＞内部カウンタ値（１）か？→Ｙｅｓ。
・ＨＲＴＴ（１）＋内部カウンタ値（１）からＭＲＴＴ（２）分のスロットは処理確定済み？→Ｙｅｓ。
・上記算出した値よりも大きい処理空きスロット先頭位置（ｎ１）を設定。
・処理空きスロット数（２３）＞ＭＲＴＴ（２）か？→Ｙｅｓ。
・（処理確定済みスロット数（３−１＝２）＋ＭＲＴＴ（２））≧ＨＲＴＴ（１）か？→Ｙｅｓ。
・ＴＴＷ＝処理確定済みスロット数（２）−ＨＲＴＴ（１）＝１。
・処理空きスロット数（２３）からＭＲＴＴ（２）を減算→処理空きスロット数＝
２３−２＝２１。
・処理空きスロット先頭位置（３）にＭＲＴＴ（２）を加算→処理空きスロット先頭位置＝３＋２＝５。
・ＴＴＷ（１）をS1 Setup Failureメッセージに設定。
・S1 Setup Failureメッセージを送信。
【００９１】
上記処理後に、ＨｅＮＢ２ｃのＳ１接続要求メッセージを受け入れた際の処理について図１１Ｃを用いて説明する。前提条件として、上述したステップＳ７０１からＳ７０４までの処理は実施済みであり、内部カウンタ値を１とする。また、上記処理により、処理空きスロット先頭位置の数は１個（スロット５の１個）、処理空きスロット先頭位置（ｎ１）が５、処理空きスロット数が２１である。
【００９２】
ＨｅＮＢ−ＧＷ３は、受信したＳ１接続要求メッセージがeNB Configuration Updateメッセージの送信対象のメッセージであるか否かを判断する。ここでは送信対象と判断したとして、ＨｅＮＢ−ＧＷ３は処理空きスロット先頭位置が内部カウンタ値より大きいか否かを判断する。この例では処理空きスロット先頭位置（ｎ１）が５であり、内部カウンタ値が１であるため、大きいと判断する。
【００９３】
この場合、ＴＴＷを設定する必要がある。ＨｅＮＢ−ＧＷ３はＨＲＴＴ（ここでは２０とする）と内部カウンタ値１を加算したスロット位置（スロット２１の位置）からＭＲＴＴ分（ここでは２とする）までのスロット領域（スロット２１から２２）について確認する。すなわち、上記スロット領域（スロット２１から２２）にＨｅＮＢ２ａ、２ｂのＳ１接続要求メッセージの処理のために予約設定されたスロットがあるかを判断する。
【００９４】
この例では、スロット２１及び２２には予約設定がされていないため、ＨｅＮＢ−ＧＷ３はＨＲＴＴ＝２０と内部カウンタ＝１を加算した値２１より小さい値のスロット５を処理空きスロット先頭位置のスロットとする。すなわち、処理空きスロット（５から２０）の中で最も小さい値のスロットを処理空きスロット先頭位置のスロットとする。この場合、処理空きスロット先頭位置（ｎ１）＝５となる。
【００９５】
ＨｅＮＢ−ＧＷ３は、スロット領域のスロットに予約設定を行うため、処理空きスロット数がＭＲＴＴ以上であるか否かを判断する。この例では処理空きスロット数が２１でＭＲＴＴが２のため、処理空きスロット数がＭＲＴＴ以上である。
【００９６】
ＨｅＮＢ−ＧＷ３は、ＴＴＷを算出するため、予約設定済みスロット数（スロット１から４）に今回のＭＲＴＴ分を加算した値がＨＲＴＴ以上であるか否かを判断する。この例では、予約設定済みスロット数＝４に今回のＭＲＴＴ＝２を加算した値が６であり、ＨＲＴＴ＝２０であるため、ＨｅＮＢ−ＧＷ３は予約設定済みスロット数に今回のＭＲＴＴ分を加算した値がＨＲＴＴ以上でないと判断する。
【００９７】
予約設定済みスロット数に今回のＭＲＴＴ分を加算した値がＨＲＴＴ以上でないということは、ＨｅＮＢ２ａ、２ｂの予約設定済みの処理が終了する前にＨｅＮＢ２ｃのＳ１接続要求メッセージがＨｅＮＢ−ＧＷ３に到達することはない。そのため、ＨｅＮＢ−ＧＷ３はＴＴＷ＝ＨＲＴＴ、すなわちＴＴＷ＝２０とする。
【００９８】
ＨｅＮＢ−ＧＷ３は、ｘを処理空きスロット数＝２１（スロット５から２５）とし、ＨｅＮＢ２ｃのＳ１接続要求メッセージの処理のための予約をＴＴＷ経過後のスロットに行う。図１１Ｃに示すように、ＨｅＮＢ２ｃのＳ１接続要求メッセージの処理に必要なスロットとしてＭＲＴＴ分をスロット２１及びスロット２２に予約設定する。
【００９９】
ＨｅＮＢ−ＧＷ３は、上記予約設定がされたスロットの前のスロットの処理空きスロット数をＨＲＴＴからＨｅＮＢ２ａ、２ｂのＳ１接続要求メッセージの処理のための予約設定済みのスロット数を減算することによって算出する。この例では、処理空きスロット数は、ＨＲＴＴ＝２０からＨｅＮＢ２ａ、２ｂのＳ１接続要求メッセージの処理のための予約設定済みのスロット数＝４を減算した１６となる。
【０１００】
また、ＨｅＮＢ２ｂのＳ１接続要求メッセージの処理のための予約設定済みのスロットとＨｅＮＢ２ｃのＳ１接続要求メッセージの処理のための予約設定済みのスロットの間に処理空きスロットが生じる。そのため、ＨｅＮＢ−ＧＷ３は新たな処理空きスロットの先頭位置（ｎ２）を算出する。この例では、ＨＲＴＴ＝２０と内部カウンタ値＝１とＭＲＴＴ＝２を加算することによって算出される。すなわち、新たな処理空きスロットの先頭位置（ｎ２）は２３となる。
【０１０１】
また、ＨｅＮＢ−ＧＷ３は新たな処理空きスロット数を算出する。この例では、処理空きスロット数＝２１から処理空きスロット数＝１６とＭＲＴＴ＝２を減算して算出される。すなわち、新たな処理空きスロット数は３となる（斜線部を参照）。
【０１０２】
ＨｅＮＢ−ＧＷ３は、算出したＴＴＷ＝２０をＳ１接続失敗メッセージに設定し、ＨｅＮＢ２ｃへ送信する。
【０１０３】
以上のＨｅＮＢ２ｃのＳ１接続要求メッセージを受け入れた際の処理のまとめは以下である。
【０１０４】
（前提条件）
図７ＡのステップＳ７０１からＳ７０４は実施済み。
内部カウンタ値＝１。
処理空きスロット先頭位置の数＝１。
処理空きスロット先頭位置（ｎ１）＝５、処理空きスロット数＝２１。
（処理フロー）
・eNB Configuration Updateメッセージ送信対象？→Ｙｅｓ。
・処理空きスロット先頭位置（５）＞内部カウンタ値（１）か？→Ｙｅｓ。
・ＨＲＴＴ（２０）＋内部カウンタ値（１）からＭＲＴＴ（２）分のスロットは処理確定済み？→Ｎｏ。
・上記算出した値よりも小さい処理空きスロット先頭位置（ｎ１）を設定。
・処理空きスロット数（２１）＞ＭＲＴＴ（２）か？→Ｙｅｓ。
・（処理確定済みスロット数（５−１＝４）＋ＭＲＴＴ（２））≧ＨＲＴＴ（２０）か？→Ｎｏ。
・ＴＴＷ＝ＨＲＴＴ（２０）＝２０。
・ｘ＝処理空きスロット数（２１）。
・処理空きスロット数＝ＨＲＴＴ（２０）−処理確定済みスロット数（４）＝１６。
・新規処理空きスロット先頭位置（ｎ２）＝ＨＲＴＴ（２０）＋内部カウンタ値
（１）＋ＭＲＴＴ（２）＝２３。
・新規処理空きスロット数＝ｘ（２１）−（処理空きスロット数（１６）＋ＭＲＴＴ（２））＝３。
・ＴＴＷ（２０）をS1 Setup Failureメッセージに設定。
・S1 Setup Failureメッセージを送信。
【０１０５】
上記処理後に、ＨｅＮＢ２ｄのＳ１接続要求メッセージを受け入れた際の処理について図１１Ｄを用いて説明する。前提条件として、上述したステップＳ７０１からＳ７０４までの処理は実施済みであり、内部カウンタ値を１とする。また、上記処理により、処理空きスロット先頭位置の数は２個（スロット５及びスロット２３）、処理空きスロット先頭位置（ｎ１）が５で処理空きスロット数が１６、処理空きスロット先頭位置（ｎ２）が２３で処理空きスロット数が３である。
【０１０６】
ＨｅＮＢ−ＧＷ３は、受信したＳ１接続要求メッセージがeNB Configuration Updateメッセージの送信対象のメッセージであるか否かを判断する。ここでは送信対象と判断したとして、ＨｅＮＢ−ＧＷ３は処理空きスロット先頭位置が内部カウンタ値より大きいか否かを判断する。この例では処理空きスロット先頭位置（ｎ１）が５であり、内部カウンタ値が１であるため、大きいと判断する。
【０１０７】
この場合、ＴＴＷを設定する必要がある。ＨｅＮＢ−ＧＷ３はＨＲＴＴ（ここでは１０とする）と内部カウンタ値１を加算したスロット位置（スロット１１の位置）からＭＲＴＴ分（ここでは２とする）までのスロット領域（スロット１１から１２）について確認する。すなわち、上記スロット領域（スロット１１から１２）にＨｅＮＢ２ａ、２ｂ、２ｃのＳ１接続要求メッセージの処理のために予約設定されたスロットがあるかを判断する。
【０１０８】
この例では、スロット１１及び１２には予約設定がされていないため、ＨｅＮＢ−ＧＷ３はＨＲＴＴ＝１０と内部カウンタ＝１を加算した値１１より小さい値のスロット５を処理空きスロット先頭位置のスロットとする。すなわち、処理空きスロット（５から１０）の中で最も小さい値のスロットを処理空きスロット先頭位置のスロットとする。この場合、処理空きスロット先頭位置（ｎ１）＝５となる。
【０１０９】
ＨｅＮＢ−ＧＷ３は、スロット領域のスロットに予約設定を行うため、処理空きスロット数がＭＲＴＴ以上であるか否かを判断する。この例では処理空きスロット数が１６でＭＲＴＴが２のため、処理空きスロット数がＭＲＴＴ以上である。
【０１１０】
ＨｅＮＢ−ＧＷ３は、ＴＴＷを算出するため、予約設定済みスロット数（スロット１から４）に今回のＭＲＴＴ分を加算した値がＨＲＴＴ以上であるか否かを判断する。この例では、予約設定済みスロット数＝４に今回のＭＲＴＴ＝２を加算した値が６であり、ＨＲＴＴ＝１０であるため、ＨｅＮＢ−ＧＷ３は予約設定済みスロット数に今回のＭＲＴＴ分を加算した値がＨＲＴＴ以上でないと判断する。予約設定済みスロット数に今回のＭＲＴＴ分を加算した値がＨＲＴＴ以上でないということは、ＨｅＮＢ２ａ、２ｂ、２ｃの予約設定済みの処理が終了する前にＨｅＮＢ２ｄのＳ１接続要求メッセージがＨｅＮＢ−ＧＷ３に到達することはない。そのため、ＨｅＮＢ−ＧＷ３はＴＴＷ＝ＨＲＴＴ、すなわちＴＴＷ＝１０とする。
【０１１１】
ＨｅＮＢ−ＧＷ３は、ｘを処理空きスロット数＝１６（スロット５から２０）とし、ＨｅＮＢ２ｄのＳ１接続要求メッセージの処理のための予約をＴＴＷ経過後のスロットに行う。図１１Ｄに示すように、ＨｅＮＢ２ｄのＳ１接続要求メッセージの処理に必要なスロットとしてＭＲＴＴ分をスロット１１及びスロット１２に予約設定する。
【０１１２】
ＨｅＮＢ−ＧＷ３は、上記予約設定がされたスロットの前のスロットの処理空きスロット数をＨＲＴＴからＨｅＮＢ２ａ、２ｂのＳ１接続要求メッセージの処理のための予約設定済みのスロット数を減算することによって算出する。この例では、処理空きスロット数は、ＨＲＴＴ＝１０からＨｅＮＢ２ａ、２ｂのＳ１接続要求メッセージの処理のための予約設定済みのスロット数＝４を減算した６となる。
【０１１３】
また、ＨｅＮＢ−ＧＷ３は、ＨｅＮＢ２ｂの予約設定済みのスロットとＨｅＮＢ２ｄの予約設定済みのスロットの間に処理空きスロットが生じるため、新たな処理空きスロットの先頭位置（ｎ３）を算出する。この例では、ＨＲＴＴ＝１０と内部カウンタ値＝１とＭＲＴＴ＝２を加算することによって算出される。すなわち、新たな処理空きスロットの先頭位置（ｎ３）は１３となる。
【０１１４】
また、ＨｅＮＢ−ＧＷ３は新たな処理空きスロット数を算出する。この例では、処理空きスロット数＝１６から処理空きスロット数＝６とＭＲＴＴ＝２を減算して算出される。すなわち、新たな処理空きスロット数は８となる（点斜線部を参照）。
【０１１５】
ＨｅＮＢ−ＧＷ３は、算出したＴＴＷ＝１０をＳ１接続失敗メッセージに設定し、ＨｅＮＢ２ｄへ送信する。
【０１１６】
以上のＨｅＮＢ２ｄのＳ１接続要求メッセージを受け入れた際の処理のまとめは以下である。
【０１１７】
（前提条件）
図７ＡのステップＳ７０１からＳ７０４は実施済み。
内部カウンタ値＝１。
処理空きスロット先頭位置の数＝２。
処理空きスロット先頭位置（ｎ１）＝５、処理空きスロット数＝１６。
処理空きスロット先頭位置（ｎ２）＝２３、処理空きスロット数＝３。
（処理フロー）
・eNB Configuration Updateメッセージ送信対象？→Ｙｅｓ。
・処理空きスロット先頭位置（５）＞内部カウンタ値（１）か？→Ｙｅｓ。
・ＨＲＴＴ（１０）＋内部カウンタ値（１）からＭＲＴＴ（２）分のスロットは処理確定済み？→Ｎｏ。
・上記算出した値よりも小さい処理空きスロット先頭位置（ｎ１）を設定。
・処理空きスロット数（１６）≧ＭＲＴＴ（２）か？→Ｙｅｓ。
・（処理確定済みスロット数（５−１＝４）＋ＭＲＴＴ（２））≧ＨＲＴＴ（１０）か？→Ｎｏ。
・ＴＴＷ＝ＨＲＴＴ（１０）＝１０。
・ｘ＝処理空きスロット数（１６）。
・処理空きスロット数＝ＨＲＴＴ（１０）−処理確定済みスロット数（４）＝６。
・新規処理空きスロット先頭位置（ｎ３）＝ＨＲＴＴ（１０）＋内部カウンタ値
（１）＋ＭＲＴＴ（２）＝１３。
・新規処理空きスロット数＝ｘ（１６）−（処理空きスロット数（６）＋ＭＲＴＴ（２））＝８。
・ＴＴＷ（１０）をS1 Setup Failureメッセージに設定。
・S1 Setup Failureメッセージを送信。
【０１１８】
上記処理後に、ＨｅＮＢ２ｅのＳ１接続要求メッセージを受け入れた際の処理について図１１Ｅを用いて説明する。前提条件として、上述したステップＳ７０１からＳ７０４までの処理は実施済みであり、内部カウンタ値を２とする。また、上記処理により、処理空きスロット先頭位置の数は３個（スロット５、スロット２３、スロット１３）、処理空きスロット先頭位置（ｎ１）が５で処理空きスロット数が６、処理空きスロット先頭位置（ｎ２）が２３で処理空きスロット数が３、処理空きスロット先頭位置（ｎ３）が１３で処理空きスロット数が８である。
【０１１９】
ＨｅＮＢ−ＧＷ３は、受信したＳ１接続要求メッセージがeNB Configuration Updateメッセージの送信対象のメッセージであるか否かを判断する。ここでは送信対象と判断したとして、ＨｅＮＢ−ＧＷ３は処理空きスロット先頭位置が内部カウンタ値より大きいか否かを判断する。この例では処理空きスロット先頭位置（ｎ１）が５であり、内部カウンタ値が１であるため、大きいと判断する。
【０１２０】
この場合、ＴＴＷを設定する必要がある。ＨｅＮＢ−ＧＷ３はＨＲＴＴ（ここでは１０とする）と内部カウンタ値２を加算したスロット位置（スロット１２の位置）からＭＲＴＴ分（ここでは２とする）までのスロット領域（スロット１２から１３）について確認する。すなわち、上記スロット領域（スロット１２から１３）にＨｅＮＢ２ａ、２ｂ、２ｃ、２ｄのＳ１接続要求メッセージの処理のために予約設定されたスロットがあるかを判断する。
【０１２１】
この例では、スロット１２にＨｅＮＢ２ｄの予約設定されているため、ＨｅＮＢ−ＧＷ３はＨＲＴＴ＝１０と内部カウンタ＝２を加算した値１２より大きい値のスロット１３を処理空きスロット先頭位置のスロットとする。すなわち、処理空きスロット先頭位置（ｎ３）＝１３となる。
【０１２２】
ＨｅＮＢ−ＧＷ３は、スロット領域のスロットに予約設定を行うため、処理空きスロット数がＭＲＴＴ以上であるか否かを判断する。この例では処理空きスロット数が８でＭＲＴＴが２のため、処理空きスロット数がＭＲＴＴ以上である。
【０１２３】
ＨｅＮＢ−ＧＷ３は、ＴＴＷを算出するため、予約設定済みを含むスロット数（スロット１から１２）に今回のＭＲＴＴ分を加算した値がＨＲＴＴ以上であるか否かを判断する。この例では、予約設定済みスロット数＝１２に今回のＭＲＴＴ＝２を加算した値が１４であり、ＨＲＴＴ＝１０であるため、ＨｅＮＢ−ＧＷ３は予約設定済みスロット数に今回のＭＲＴＴ分を加算した値がＨＲＴＴ以上であると判断する。
【０１２４】
予約設定済みスロット数に今回のＭＲＴＴ分を加算した値がＨＲＴＴ以上であるということは、予約設定済みのスロット数からＨＲＴＴ分を減算した値だけ待ってＳ１接続要求メッセージを再送することを意味する。この場合のＴＴＷは予約設定済みのスロット数が１３（スロット１から１２）からＨＲＴＴ＝１０を減算した３となる。待たずにＨｅＮＢ２ｅがＳ１接続要求メッセージを送信すると、再度、Ｓ１接続失敗メッセージが送信されることになってしまう。
【０１２５】
ＨｅＮＢ−ＧＷ３は、ＴＴＷを算出すると、処理空きスロット数（ここでは８）からＭＲＴＴ（ここでは２とする）を減算し、減算後の処理空きスロット数を８−２＝６（スロット１５から２０）とする（点斜線を参照）。このとき、ＨｅＮＢ−ＧＷ３は、図１１Ｅに示すように、ＨｅＮＢ２ｅのＳ１接続要求メッセージの処理に必要なスロットとしてＭＲＴＴ分をスロット１３及びスロット１４に予約設定する。
【０１２６】
ＨｅＮＢ−ＧＷ３は、処理空きスロット先頭位置（ｎ３）＝１３にＭＲＴＴ分の２を加算し、予約設定後の処理空きスロット先頭位置（ｎ３）を１５とする。すなわち、スロット１５が予約設定後の処理空きスロット先頭位置（ｎ３）となる。
【０１２７】
ＨｅＮＢ−ＧＷ３は、算出したＴＴＷ＝３をＳ１接続失敗メッセージに設定し、ＨｅＮＢ２ｅへ送信する。
【０１２８】
以上のＨｅＮＢ２ｅのＳ１接続要求メッセージを受け入れた際の処理のまとめは以下である。
【０１２９】
（前提条件）
図７ＡのステップＳ７０１からＳ７０４は実施済み。
内部カウンタ値＝２。
処理空きスロット先頭位置の数＝３。
処理空きスロット先頭位置（ｎ１）＝５、処理空きスロット数＝１６。
処理空きスロット先頭位置（ｎ２）＝２３、処理空きスロット数＝３。
処理空きスロット先頭位置（ｎ３）＝１３、処理空きスロット数＝８。
（処理フロー）
・eNB Configuration Updateメッセージ送信対象？→Ｙｅｓ。
・処理空きスロット先頭位置（５）＞内部カウンタ値（２）か？→Ｙｅｓ。
・ＨＲＴＴ（１０）＋内部カウンタ値（２）からＭＲＴＴ（２）分のスロットは処理確定済み？→Ｙｅｓ。
・上記算出した値よりも大きい処理空きスロット先頭位置（ｎ３）を設定。
・処理空きスロット数（８）≧ＭＲＴＴ（２）か？→Ｙｅｓ。
・（処理確定済みスロット数（１３−１＝１２）＋ＭＲＴＴ（２））≧ＨＲＴＴ（１０）か？→Ｙｅｓ。
・ＴＴＷ＝処理確定済みスロット数（１３）−ＨＲＴＴ（１０）＝３。
・処理空きスロット数（８）からＭＲＴＴ（２）を減算→処理空きスロット数＝
８−２＝６。
・処理空きスロット先頭位置（１３）にＭＲＴＴ（２）を加算→処理空きスロット先頭位置＝１３＋２＝１５。
・ＴＴＷ（３）をS1 Setup Failureメッセージに設定。
・S1 Setup Failureメッセージを送信。
【０１３０】
実施形態の制御装置の１つの側面によれば、複数の基地局がＳ１接続を切断してもＳ１再接続に要する時間を短縮させることができる。また、制御装置内部の処理負荷を抑制して他の処理への影響を軽減させることができる。
【０１３１】
以上の実施の形態に関して、更に以下の付記を開示する。
（付記１）複数の基地局と、管理装置と、前記複数の基地局と前記管理装置との間を中継する制御装置とから構成される通信システムであって、
前記制御装置は、
前記複数の基地局と前記制御装置の間の基地局ラウンドトリップタイム及び前記管理装置と前記制御装置の間の管理装置ラウンドトリップタイムをＳＣＴＰ(Stream Control Transmission Protocol)でそれぞれ計測する計測部と、
計測された前記各ラウンドトリップタイムを用いて前記基地局と前記制御装置との間のＳ１接続失敗時のリトライ待ちタイマ値を前記基地局ごとに算出する算出部と、
算出された前記リトライ待ちタイマ値を前記基地局ごとに送信する送信部とを、
有することを特徴とする通信システム。
（付記２）前記算出部は、所定の時間単位のスロットを複数並べて構成したスロット領域に、前記複数の基地局からのＳ１接続要求の処理に必要な時間を前記スロット単位で設定し、設定された前記スロット領域に基づいて前記リトライ待ちタイマ値を算出することを特徴とする付記１に記載の通信システム。
（付記３）前記算出部は、前記複数の基地局からのＳ１接続要求の処理に必要な時間を前記スロット単位で設定する際、設定済みのスロットと重ならないように設定することを特徴とする付記２に記載の通信システム。
（付記４）前記計測部は、前記複数の基地局及び前記管理装置のそれぞれへ所定のメッセージが前記送信部によって送信されてから応答が受信されるまでの応答時間をそれぞれ計測し、計測された前記基地局側からの応答時間を前記基地局ラウンドトリップタイムとし、計測された前記管理装置側からの応答時間を前記管理装置ラウンドトリップタイムとする付記１から３のいずれか１つに記載の通信システム。
（付記５）前記管理装置が複数存在する場合、
前記計測部は、それぞれの前記管理装置へ前記所定のメッセージが前記送信部によって送信されてから応答を受信するまでの応答時間をそれぞれ計測し、計測された応答時間のうち最も長い応答時間を前記管理装置ラウンドトリップタイムとする付記４に記載の通信システム。
（付記６）複数の基地局と管理装置の間を中継する制御装置におけるＳ１接続制御方法であって、
前記複数の基地局と前記制御装置の間の基地局ラウンドトリップタイム及び前記管理装置と前記制御装置の間の管理装置ラウンドトリップタイムをＳＣＴＰ(Stream Control Transmission Protocol)でそれぞれ計測し、
計測された前記各ラウンドトリップタイムを用いて前記基地局と前記制御装置との間のＳ１接続失敗時のリトライ待ちタイマ値を前記基地局ごとに算出し、
算出された前記リトライ待ちタイマ値を前記基地局ごとに送信する、
ことを特徴とするＳ１接続制御方法。
（付記７）所定の時間単位のスロットを複数並べて構成したスロット領域に、前記複数の基地局からのＳ１接続要求の処理に必要な時間を前記スロット単位で設定し、設定された前記スロット領域に基づいて前記リトライ待ちタイマ値を算出することを特徴とする付記６に記載のＳ１接続制御方法。
（付記８）前記複数の基地局からのＳ１接続要求の処理に必要な時間を前記スロット単位で設定する際、設定済みのスロットと重ならないように設定することを特徴とする付記７に記載のＳ１接続制御方法。
（付記９）前記複数の基地局及び前記管理装置のそれぞれへ所定のメッセージが送信されてから応答が受信されるまでの応答時間をそれぞれ計測し、計測された前記基地局側からの応答時間を前記基地局ラウンドトリップタイムとし、計測された前記管理装置側からの応答時間を前記管理装置ラウンドトリップタイムとする付記６から８のいずれか１つに記載のＳ１接続制御方法。
（付記１０）前記管理装置が複数存在する場合、
それぞれの前記管理装置へ前記所定のメッセージが送信されてから応答を受信するまでの応答時間をそれぞれ計測し、計測された応答時間のうち最も長い応答時間を前記管理装置ラウンドトリップタイムとする付記９に記載のＳ１接続制御方法。
【符号の説明】
【０１３２】
１  通信システム
２（２ａ、２ｂ、２ｃ、２ｄ、２ｅ）  ＨｅＮＢ
３  ＨｅＮＢ−ＧＷ
４（４ａ、４ｂ）  ＭＭＥ
３０  受信部
３１  送信部
３２  ＳＣＴＰ処理部
３３  Ｓ１ＡＰ処理部
３４  ＨｅＮＢ管理部
３５  ＭＭＥ管理部
４０  ＣＰＵ
４１  メモリ
４２  ネットワークインタフェースカード
４３  バス
【図１】
2018186431.tif 000003
【図２】
2018186431.tif 000004
【図３】
2018186431.tif 000005
【図４】
2018186431.tif 000006
【図５Ａ】
2018186431.tif 000007
【図５Ｂ】
2018186431.tif 000008
【図５Ｃ】
2018186431.tif 000009
【図６】
2018186431.tif 000010
【図７Ａ】
2018186431.tif 000011
【図７Ｂ】
2018186431.tif 000012
【図８】
2018186431.tif 000013
【図９】
2018186431.tif 000014
【図１０】
2018186431.tif 000015
【図１１Ａ】
2018186431.tif 000016
【図１１Ｂ】
2018186431.tif 000017
【図１１Ｃ】
2018186431.tif 000018
【図１１Ｄ】
2018186431.tif 000019
【図１１Ｅ】
2018186431.tif 000020